(57)【特許請求の範囲】
【請求項１】
遊技機本体の前側の発光領域に対応する発光体と、
前記遊技機本体の前側に着脱可能に装着された装飾シートとを備えた
遊技機において、
前記装飾シートは、カバー体とベース体とでその両面側から挟持されており、
前記装飾シートに、光に関する警告情報を表示し、
前記警告情報の前記発光体側に、前記発光体からの光を透過しない又は透過し難い透光規制部を設けた
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、例えばその前側に多数の発光領域が設けられており、それら発光領域に対応して配置されたＬＥＤ等の発光体を例えば遊技状態に応じた発光パターンで発光させる発光演出を行うことが可能となっている。
ところが、最近の遊技機には発光体として高輝度のＬＥＤが多数用いられているため、遊技者がそれらのＬＥＤから発せられる強い光による健康への悪影響が懸念されている（例えば特許文献１参照）。そこで、遊技者に対して同じ光を凝視しないように警告する内容の警告情報を、遊技機前側の見やすい位置に表示している例が多い。
【先行技術文献】
【特許文献】
【０００３】
【特許文献１】特開２０１４−１７１７３３号公報
【発明の概要】
【発明が解決しようとする課題】
【０００４】
上記のような警告情報は、強い光を目視することによる遊技者の健康被害を防止するためのものであるため、この警告情報を見ることによってかえって強い光が目に入り、遊技者の健康を害するようなことがあっては本末転倒である。
本発明は上記事情に鑑みてなされたものであり、光に関する警告情報を遊技者に対して安全に伝えることが可能な遊技機を提供することを目的とする。
【課題を解決するための手段】
【０００５】
本発明は、遊技機本体８１の前側の発光領域に対応する発光体９４，１１０と、前記遊技機本体８１の前側に着脱可能に装着された装飾シート１１２，１２１とを備えた遊技機において、前記装飾シート１１２，１２１は、カバー体１１３とベース体１０７とでその両面側から挟持されており、前記装飾シート１１２，１２１に、光に関する警告情報３９を表示し、前記警告情報３９の前記発光体９４，１１０側に、前記発光体９４，１１０からの光を透過しない又は透過し難い透光規制部１０７，１４３を設けたものである。
また、前記装飾シート１２１の少なくとも一部に、印刷により前記透光規制部１４３を形成し、前記透光規制部１４３の前側に前記警告情報３９を表示してもよい。また、カバー体１１３とベース体１０７とで前記装飾シート１１２を前後両面側から挟持し、前記ベース体１０７の少なくとも一部を前記透光規制部としてもよい。
操作手段９８〜９９が配置された操作パネル９５に、前記警告情報３９を表示する前記装飾シート１１２を配置してもよいし、操作手段１０２等が配置された操作パネル９６の下側の装飾パネル９７に、前記警告情報３９を表示する前記装飾シート１２１を配置してもよい。
【発明の効果】
【０００６】
本発明によれば、光に関する警告情報を遊技者に対して安全に伝えることが可能である。
【図面の簡単な説明】
【０００７】
【図１】本発明の第１の実施形態に係るパチンコ機の全体正面図である。
【図２】同パチンコ機の平面断面図である。
【図３】同パチンコ機の遊技盤の側面断面図である。
【図４】同パチンコ機の遊技盤の正面図である。
【図５】同パチンコ機の遊技盤の拡大正面図である。
【図６】同パチンコ機の遊技盤の分解斜視図である。
【図７】本発明の第２の実施形態に係るパチンコ機の遊技盤の正面図である。
【図８】同パチンコ機の遊技盤の拡大平面断面図である。
【図９】本発明の第３の実施形態に係るパチンコ機の遊技盤の正面図である。
【図１０】同パチンコ機の遊技盤の拡大正面図である。
【図１１】同パチンコ機の遊技盤の分解斜視図である。
【図１２】同パチンコ機の遊技盤の拡大正面断面図である。
【図１３】同パチンコ機の遊技盤の拡大平面断面図である。
【図１４】本発明の第４の実施形態に係るパチンコ機の遊技盤の拡大正面断面図である。
【図１５】同パチンコ機の遊技盤の拡大平面断面図である。
【図１６】本発明の第５の実施形態に係るパチンコ機の遊技盤の拡大正面断面図である。
【図１７】同パチンコ機の遊技盤の拡大平面断面図である。
【図１８】本発明の第６の実施形態に係るパチンコ機の遊技盤の正面図である。
【図１９】同パチンコ機の遊技盤の拡大平面断面図である。
【図２０】本発明の第７の実施形態に係るスロットマシンの全体斜視図である。
【図２１】同スロットマシンの前扉の分解斜視図である。
【図２２】同スロットマシンの下部前面パネルの分解斜視図である。
【図２３】同スロットマシンの前扉及び装飾パネルの分解斜視図である。
【図２４】同スロットマシンの前扉の拡大側面断面図である。
【図２５】同スロットマシンの装飾シートの正面図及び背面図である。
【図２６】同スロットマシンの前扉の拡大側面断面図である。
【発明を実施するための形態】
【０００８】
以下、本発明の実施形態を図面に基づいて詳述する。図１〜図６は本発明をパチンコ機に採用した第１の実施形態を例示している。図１，図２において、遊技機本体１は、矩形状の外枠２と、この外枠２の前側に配置された前枠３とを備えている。前枠３は左右一側、例えば左側に配置された上下方向のヒンジ４ａを介して外枠２に着脱及び開閉自在に装着されている。
【０００９】
前枠３には、上部側に遊技盤５（図４）等が、下部側に発射手段６等が配置されると共に、その前側に、遊技盤５の前側に対応するガラス扉７と、発射手段６の前側に対応する下部扉８とが上下に配置されている。ガラス扉７及び下部扉８は、例えばヒンジ４ａと同じ側のヒンジ４ｂを介して前枠３に開閉自在に装着されている。ガラス扉７は、遊技盤５の遊技領域５ａに対応する開口部９、その開口部９の周囲に配置されたスピーカ１０ａ，ＬＥＤ（発光体）１１ａ等の演出手段、それらスピーカ１０ａ，ＬＥＤ１１ａ等を前側から略覆う上部前面パネル１２、開口部９を後側から略塞ぐように着脱自在に装着されたガラスユニット１３（図２）等を備えている。上部前面パネル１２は、その少なくとも一部が透光性を有する発光レンズ部（発光領域）１２ａとなっており、ＬＥＤ１１ａが所定パターンに従って点灯或いは点滅することにより発光レンズ部１２ａが発光するようになっている。
【００１０】
また下部扉８は、発射用の遊技球を貯留する貯留皿１４、発射手段６を作動させるための発射ハンドル１５、スピーカ１０ｂ，ＬＥＤ（発光体）１１ｂ等の演出手段、それら貯留皿１４，スピーカ１０ｂ，ＬＥＤ１１ｂ等を前側から略覆う下部前面パネル１６、演出用の操作ボタン１７等を備えている。下部前面パネル１６は、その少なくとも一部が透光性を有する発光レンズ部（発光領域）１６ａとなっており、ＬＥＤ１１ｂが例えばＬＥＤ１１ａと共に所定パターンに従って点灯或いは点滅することにより発光レンズ部１６ａが発光するようになっている。なお、ガラス扉７と下部扉８とを一つの扉体として一体に形成してもよい。
【００１１】
遊技盤（透光規制部）５は、図４，図６等に示すように、ベニヤ板等の非透光性材料で形成されたベース板２１を備え、そのベース板２１に、ガイドレール２２、中央表示枠２３、始動入賞ユニット２４、大入賞ユニット２５、普通入賞ユニット２６、裏ベース体２７（図２，図３及び図６）等が装着されている。そして、例えば中央表示枠２３には普通図柄始動手段２８、普通図柄表示手段２９、第１特別図柄表示手段３１、第２特別図柄表示手段３２等が、始動入賞ユニット２４には第１特別図柄始動手段３３、第２特別図柄始動手段３４等が、大入賞ユニット２５には大入賞手段３５等が、普通入賞ユニット２６には例えば複数の普通入賞手段３６等が夫々設けられている。
【００１２】
ベース板２１は、例えば略矩形状に形成されると共に、図６に示すように中央表示枠２３、始動入賞ユニット２４等を装着するための前後方向貫通状の装着孔３７ａ〜３７ｄが形成されている。またベース板２１の前面側には、任意の絵柄や機種名等が印刷されたセルシート（装飾層）３８（図３等）が貼付されている。更に、そのセルシート３８の前面側の所定位置には、光凝視警告情報３９が表示された例えば透光性の警告シール（貼付シート）３９ａが貼付されている。光凝視警告情報３９は、光に関する警告情報の一例として遊技者に対して光の凝視を警告するためのもので、図５に示すように例えば「長時間同じ光を凝視しないでください。」等の文字情報により構成されている。なお、光凝視警告情報３９が表示された警告シール３９ａをセルシート３８の前面側に貼付するのではなく、光凝視警告情報３９を任意の絵柄や機種名等と同様にセルシート３８に直接印刷してもよい。
【００１３】
ガイドレール２２は、図４，図６に示すように、遊技領域５ａの外周側を取り囲むようにベース板２１の前面側に配置され、例えば３つの第１〜第３レール部材４１〜４３等により形成されている。第１レール部材４１は例えば金属製で、ベース板２１の下部左側から左縁部略中央、上縁部略中央を経て右上部まで正面視略円弧状に配置され、ベース板２１の前面側に略一定幅で立設されている。第２レール部材４２も例えば金属製で、ベース板２１の左上部から左下部にかけて第１レール部材４１の内側に並行するように略円弧状に配置され、ベース板２１の前面側に略一定幅で立設されている。これら第１レール部材４１と第２レール部材４２とで挟まれた部分が、発射手段６によって発射された遊技球を遊技領域５ａに案内する発射案内通路４４となっている。
【００１４】
第３レール部材４３は例えば合成樹脂製で、第１レール部材４１の右上部側端部と第２レール部材４２の左下部側端部とを接続するように、ベース板２１の右縁部と下縁部とに沿って前後方向略一定幅に形成され、ベース板２１の前面側に着脱自在に装着されている。なお、この第３レール部材４３の内側壁４３ｂがガイドレール２２の一部を構成している。また、第３レール部材４３には、遊技領域５ａの最下流部、例えば左右方向略中央における下部側に対応してアウト口部材４５が例えば一体に設けられている。このアウト口部材４５は、アウト口４６を構成するもので、入賞手段に入賞することなく遊技領域５ａの最下流部まで流下してきた遊技球はこのアウト口４６を経て遊技盤５の後側に排出される。
【００１５】
なお、セルシート３８上の光凝視警告情報３９は、遊技者が遊技機本体１の前側から視認可能なように、ガラス扉７の開口部９内に対応する位置、例えば発射案内通路４４内の下流端側（上部側）に配置されている（図４，図５等）。その光凝視警告情報３９が表示された警告シール３９ａは、発射案内通路４４の形状に応じて例えば細長矩形状に形成されている。もちろん、光凝視警告情報３９を遊技領域５ａ内に配置してもよい。
【００１６】
中央表示枠２３は、液晶式、その他の画像表示手段４７の表示枠を構成するもので、例えば遊技領域５ａにおける左右方向略中央の上部側に配置されており、ベース板２１に形成された装着孔３７ａ（図６）に対して前側から嵌め込まれ、ネジ止め等により着脱自在に固定されている。なお画像表示手段４７は、図２，図３等に示すように裏ベース体２７によりベース板２１の後側で支持されており、演出図柄表示手段４８等を構成している。
【００１７】
中央表示枠２３には、画像表示手段４７に対応する表示窓４９が形成されており、その表示窓４９の下部前側にはステージ５０が設けられ、また表示窓４９の側方等に普通図柄表示手段２９、第１特別図柄表示手段３１、第２特別図柄表示手段３２等の各種表示手段が配置されている。発射手段６により発射され、発射案内通路４４を経て遊技領域５ａの上部側に到達した遊技球は、中央表示枠２３の上端部で左右に振り分けられ、中央表示枠２３の左側の左側通路５１ａと右側の右側通路５１ｂとの何れかを流下する。
【００１８】
ステージ５０は、中央表示枠２３の左右の少なくとも一方、例えば左側に設けられた入球口５２を経て流入した遊技球を左右方向に転動させた後、左右方向略中央の中央落下部５３ａとその左右両側の側部落下部５３ｂとの何れかから前側に落下させるようになっている。また、中央表示枠２３の例えば右側には、普通図柄始動手段２８が配置されている。普通図柄始動手段２８は、例えば通過する遊技球を検出可能な通過ゲート式で、右側通路５１ｂを流下してきた遊技球が通過可能となっている。
【００１９】
普通図柄始動手段２８が遊技球を検出すると、普通図柄表示手段２９により普通図柄の変動表示が行われる。普通図柄表示手段２９は、例えば複数個の普通図柄（例えば「○」「×」の２種類）に対応する複数個の発光体（例えばＬＥＤ）を備えており、普通図柄始動手段２８が遊技球を検出することに基づいてそれら複数の発光体が所定順序で発光するように点滅して、普通図柄始動手段２８による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。なお、変動後の普通図柄は１／１０程度の所定の確率で当たり態様となり、普通利益状態が発生する。また、普通図柄の始動検出は所定の上限数（例えば４）まで保留可能である。
【００２０】
第１特別図柄表示手段３１と第２特別図柄表示手段３２とは、夫々１個又は複数個、例えば各１個の第１，第２特別図柄を変動表示可能な７セグメント式等の表示手段により構成されている。そして、第１特別図柄表示手段３１は第１特別図柄始動手段３３に遊技球が入賞することを条件に、また第２特別図柄表示手段３２は第２特別図柄始動手段３４に遊技球が入賞することを条件に、夫々第１，第２特別図柄を所定時間変動表示して、第１，第２特別図柄始動手段３３，３４への遊技球入賞時に取得された大当たり判定乱数値が予め定められた大当たり判定値と一致する場合には所定の大当たり態様（特定態様）で、それ以外の場合には外れ態様で夫々停止するようになっている。
【００２１】
なお、変動後の第１特別図柄、第２特別図柄は、通常確率状態中は１／３５０等の通常確率で大当たり態様となり、その後に特別利益状態が発生する。特別利益状態終了後には例えば所定の確率で高確率状態となり、第１特別図柄、第２特別図柄は１／３５等、通常確率よりも高確率で大当たり態様となる。また、第１特別図柄、第２特別図柄は、例えば一方が変動中の場合には他方は変動せず、特別利益状態中は何れも変動しない。また、各特別図柄の始動検出は所定の上限数（例えば４）まで保留可能であり、両方に１以上の保留がある場合には、第２特別図柄表示手段３２の図柄変動が優先する。
【００２２】
始動入賞ユニット２４は、例えば中央表示枠２３の下側で且つアウト口４６の上側近傍に配置されており、ベース板２１に形成された装着孔３７ｂ（図６）に対して前側から嵌め込まれ、ネジ止め等により着脱自在に固定されている。始動入賞ユニット２４には、中央落下部５３ａの下側に上向き開口状に配置された非開閉式の第１特別図柄始動手段３３と、その第１特別図柄始動手段３３の下側に配置された開閉式の第２特別図柄始動手段３４とが設けられている。
【００２３】
大入賞ユニット２５は、例えば中央表示枠２３の下側で且つ始動入賞ユニット２４の右側に配置されており、ベース板２１に形成された装着孔３７ｃ（図６）に対して前側から嵌め込まれ、ネジ止め等により着脱自在に固定されている。大入賞ユニット２５には、大入賞手段３５、遊技球案内手段５４等が設けられている。大入賞手段３５は開閉式で、第１特別図柄、第２特別図柄の何れかが大当たり態様で停止した場合に発生する特別利益状態において所定の開放パターンに従って開放するようになっている。特別利益状態における大入賞手段３５の開放パターンは、例えば開放してから所定時間（例えば２９秒）経過するかそれまでに所定個数（例えば１０個）の遊技球が入賞することを条件に閉鎖する動作を１ラウンドとして、そのラウンドを所定のラウンド間インターバルを挟んで所定回数繰り返すように設定されている。また、特別利益状態の開始時には、第１ラウンドの前に大当たり開始インターバルが設けられ、また最終ラウンドの終了後は残存球排出時間と大当たり終了インターバルとが設けられている。
【００２４】
遊技球案内手段５４は、遊技球を左右方向の一方側（ここでは始動入賞ユニット２４側）に案内するもので、大入賞手段３５の下側に例えば左下がりの傾斜状に形成されており、その下流端側は第１特別図柄始動手段３３よりも下側で第２特別図柄始動手段３４よりも上側に配置されている。
【００２５】
普通入賞ユニット２６は、例えば中央表示枠２３の下側で且つ始動入賞ユニット２４の左側にガイドレール２２に沿って配置されており、ベース板２１に形成された装着孔３７ｄ（図６）に対して前側から嵌め込まれ、ネジ止め等により着脱自在に固定されている。普通入賞ユニット２６には、非開閉式の普通入賞手段３６がガイドレール２２に沿って複数、例えば３つ設けられている。
【００２６】
なお、ベース板２１の前側に装着された中央表示枠２３、始動入賞ユニット２４、大入賞ユニット２５、普通入賞ユニット２６等にはＬＥＤ（発光体）５５が内蔵されており、それらＬＥＤ５５が例えばＬＥＤ１１ａ，１１ｂと共に所定パターンに従って点灯或いは点滅することにより、中央表示枠２３等の前側の発光レンズ部（発光領域）が発光するようになっている。
【００２７】
裏ベース体２７は、遊技領域５ａの略全体を後側から覆うようにベース板２１の裏側に配置されており、図２，図３，図６等に示すように、ベース板２１と略平行な略矩形状に形成された背壁５６と、この背壁５６の外縁部からベース板２１の背面側まで前向きに縁設された外周壁５７と、この外周壁５７の前縁側にベース板２１の背面側に沿って一体に形成された固定板５８とを一体に備え、例えば固定板５８をベース板２１にネジ止めすることにより着脱自在に固定されている。
【００２８】
裏ベース体２７の背壁５６には、例えばその上部側に略矩形状の表示用開口部５９が形成されており、画像表示手段４７はその表示画面４７ａを表示用開口部５９に対応させた状態で背壁５６の背面側に着脱自在に固定されている。また背壁５６の後側には、図２に示すように、主制御基板、演出制御基板等の各種制御基板を格納した基板ケース６０が着脱自在に装着されている。
【００２９】
また、例えば裏ベース体２７内には、図２〜図４，図６に示すように可動演出手段６１が配置されている。この可動演出手段６１は、例えば可動演出体６２と、この可動演出体６２を所定動作可能に支持する駆動ベース体６３と、この駆動ベース体６３と可動演出体６２とを連結する可動連結部６４とを備えている。可動演出手段６１は、駆動ベース体６３が例えば表示用開口部５９の上側で背壁５６の前側に着脱自在に固定され、この駆動ベース体６３内に配置されたステッピングモータ等の駆動手段（図示省略）により、可動演出体６２が、例えば画像表示手段４７における表示画面４７ａの外側（ここでは左上部）の退避位置（図４に破線で表示）と、表示画面４７ａの前側の動作位置（図４に二点鎖線で表示）との間で移動（例えば揺動及び回転）可能となっている。
【００３０】
可動演出体６２には、例えばＬＥＤ（発光体）６５が内蔵されており、そのＬＥＤ６５が例えば可動演出体６２の動作と同期して所定パターンに従って点灯或いは点滅することにより、可動演出体６２の前側の発光レンズ部（発光領域）が発光するようになっている。
【００３１】
なお本実施形態では、光凝視警告情報３９の少なくとも一部が、退避位置にある可動演出体６２の前側に位置するように配置されている（図４等）。しかしながら、光凝視警告情報３９は非透光性のベース板２１の前面側に設けられており、可動演出体６２の退避位置はそのベース板２１の後側であるため、仮に退避位置にある可動演出体６２のＬＥＤ６５が点灯しても、その光は前側のベース板２１に遮られて光凝視警告情報３９に直接届くことはなく、従ってそのＬＥＤ６５の光によって光凝視警告情報３９が発光することはない。
【００３２】
また図３に示すように、退避位置以外の位置で可動演出体６２のＬＥＤ６５が点灯しても、光凝視警告情報３９の後側には非透光性のベース板２１が存在するため、ＬＥＤ６５の光が光凝視警告情報３９に直接届くことはなく、従ってそのＬＥＤ６５の光によって光凝視警告情報３９が発光することはない。
【００３３】
以上説明したように、本実施形態のパチンコ機では、光凝視警告情報３９を、非透光性の遊技盤（透光規制部）５の前面側に表示しているため、遊技者がこの光凝視警告情報３９を凝視したとしても強い光が目に入るようなことはなく、光凝視警告情報を遊技者に安全に伝えることが可能である。
【００３４】
図７及び図８は本発明の第２の実施形態を例示し、第１の実施形態を一部変更して、光凝視警告情報３９を、遊技盤５の前側の遊技部品に表示した例を示している。なお、光凝視警告情報３９の配置位置以外の構成は第１の実施形態と同様である。
【００３５】
本実施形態のパチンコ機では、図７，図８に示すように、第１の実施形態と同様の光凝視警告情報３９が表示された警告シール（貼付シート）３９ａを第３レール部材４３に貼付している。第３レール部材（透光規制部）４３は、黒色その他の非透光性の合成樹脂製で、図８に示すように、ベース板２１と略平行な前壁４３ａと、この前壁４３ａの遊技領域５ａ側の縁部から後向きに延設された内側壁４３ｂと、前壁４３ａの遊技領域５ａとは反対側の縁部から後向きに延設された外側壁４３ｃとで後向きに開放する断面略コの字型に形成されており、その後部側をベース板２１により後側から略塞ぐようにベース板２１の前面側に着脱自在に固定されている。警告シール３９ａは、第３レール部材４３における前壁４３ａの前面側に貼付されている。
【００３６】
このように、遊技盤５の前側に設けた非透光性の遊技部品に光凝視警告情報３９を表示した場合でも、非透光性のベース板２１に光凝視警告情報３９を表示した場合と同様、遊技盤５の後側等に設けたＬＥＤ等からの光が光凝視警告情報３９に直接届くことはないため、遊技者がこの光凝視警告情報３９を凝視したとしても強い光が目に入るようなことはなく、光凝視警告情報を遊技者に安全に伝えることが可能である。また、このように遊技盤５の前側の遊技部品の前面に光凝視警告情報３９を表示することによって、遊技球が光凝視警告情報３９の前側を通過することがなく、光凝視警告情報３９の視認性を保つことができる。更に遊技球との摩擦により光凝視警告情報３９が薄れ劣化することも防止することができる。
【００３７】
もちろん、光凝視警告情報３９を表示する非透光性の遊技部品は第３レール部材４３に限られるものではなく、例えば遊技領域５ａ内に配置される普通入賞ユニット２６等でもよい。また、光凝視警告情報３９を表示する遊技部品の全体が非透光性である必要はなく、少なくとも光凝視警告情報３９の表示領域、好ましくはその光凝視警告情報３９の表示領域とその周囲の一定領域とが非透光性であればよい。
【００３８】
なお、本実施形態の場合にはベース板２１が非透光性であり、しかもその前側の第３レール部材４３内には、少なくとも光凝視警告情報３９の後側に対応する位置にはＬＥＤ等の発光体が配置されていないため、第３レール部材（遊技部品）４３は非透光性でなくてもよい。
【００３９】
図９〜図１３は本発明の第３の実施形態を例示し、第１の実施形態を一部変更して遊技盤５のベース板２１′を透明とし、その透明なベース板２１′に光凝視警告情報３９を表示した例を示している。なお、透明なベース板２１′を用いた点、その透明なベース板２１′の後側に可動演出手段６１とは別の発光演出手段６６を配置した点、及びベース板２１′上における光凝視警告情報３９の配置位置以外は第１の実施形態と同様である。
【００４０】
本実施形態の遊技盤５は、図９，図１１，図１３等に示すように、ポリカーボネート等の透光性材料で形成された例えば無色透明のベース板２１′を備え、そのベース板２１′に、第１の実施形態と同様のガイドレール２２、中央表示枠２３、始動入賞ユニット２４、大入賞ユニット２５、普通入賞ユニット２６、裏ベース体２７等が装着されている。
【００４１】
また、ベース板２１′の後側には、例えば裏ベース体２７内に、可動演出手段６１と共に発光演出手段６６が配置されている。発光演出手段６６は、例えば表示用開口部５９の外周に対応して配置されており、その前部の装飾面６７には任意の装飾が施されると共に、少なくとも一部が発光レンズ部（発光領域）となっており、内部には発光レンズ部の後側に対応してＬＥＤ（発光体）６８が配置されている。本実施形態のベース板２１′は透明であるため、遊技者はベース板２１′を介してその後側の可動演出手段６１、発光演出手段６６等を視認可能である。
【００４２】
また、ベース板２１′の前面側の所定位置、例えば発射案内通路４４内の上流端側（下部側）には、「長時間同じ光を凝視しないでください。」等の光凝視警告情報３９が表示された例えば透光性の警告シール（貼付シート）３９ａが貼付されている。ここで、光凝視警告情報３９の後側には例えば発光演出手段６６が配置されているが、その発光演出手段６６のＬＥＤ６８は、図１２，図１３に示すように、光凝視警告情報３９の後側に対応する位置を避けて配置されている。なお、光凝視警告情報３９が表示された警告シール３９ａをベース板２１′の前面側に貼付するのではなく、光凝視警告情報３９をベース板２１′の前面側に直接印刷してもよい。
【００４３】
以上のような本実施形態のパチンコ機では、透光性を有するベース板２１′の前面側に光凝視警告情報３９を表示しているが、その光凝視警告情報３９の後側に対応する位置にはＬＥＤ６８等の発光体が配置されていないため、図１３に示すように、ＬＥＤ６８等が点灯しても光凝視警告情報３９が強く発光することはない。従って、遊技者がこの光凝視警告情報３９を凝視したとしても強い光が目に入るようなことはなく、光凝視警告情報３９を遊技者に安全に伝えることが可能である。
【００４４】
図１４及び図１５は本発明の第４の実施形態を例示し、第３の実施形態を一部変更して、透明なベース板２１′の前面側に表示する警告シール３９ａ全体を非透光性とした例を示している。なお、第３の実施形態では、警告シール３９ａの後側に対応する位置にはＬＥＤ６８等の発光体を配置しないように構成したが、本実施形態では警告シール３９ａの後側にＬＥＤ６８等の発光体が配置されていてもよい。
【００４５】
本実施形態の警告シール（貼付シート）３９ａは、図１５に示すように、ＰＥＴフィルム等よりなるベースフィルム６９に例えばアルミ蒸着コーティングを施すことによってその全面に遮光層（透光規制部）７０を形成し、例えばその遮光層７０の表面（前面）に光凝視警告情報３９を印刷することにより形成されている。
【００４６】
以上のような本実施形態のパチンコ機では、透光性を有するベース板２１′の前面側に光凝視警告情報３９を表示しているが、その光凝視警告情報３９を表示する警告シール３９ａが非透光性であるため、図１５に示すように、ＬＥＤ６８等が点灯しても光凝視警告情報３９が強く発光することはない。従って、遊技者が光凝視警告情報３９を凝視したとしても強い光が目に入るようなことはなく、光凝視警告情報を遊技者に安全に伝えることが可能である。なお、ベースフィルム６９に特定色を印刷することにより遮光層を形成してもよい。
【００４７】
図１６及び図１７は本発明の第５の実施形態を例示し、第３の実施形態を一部変更して、透明なベース板２１′の前面側に表示する警告シール３９ａの一部を非透光性とし、その非透光性の部分に光凝視警告情報３９を表示した例を示している。なお、第３の実施形態では、警告シール３９ａの後側に対応する位置にはＬＥＤ６８等の発光体を配置しないように構成したが、本実施形態では警告シール３９ａの後側にＬＥＤ６８等が配置されていてもよい。
【００４８】
本実施形態の警告シール（貼付シート）３９ａは、図１６，図１７に示すように、ＰＥＴフィルム等よりなるベースフィルム６９に例えばアルミ蒸着コーティングを施すことによってその一部分に遮光層（投稿規制部）７０を形成し、例えばその遮光層７０の表面（前面）に光凝視警告情報３９を印刷することにより形成されている。
【００４９】
以上のような本実施形態のパチンコ機では、透光性を有するベース板２１′の前面側に光凝視警告情報３９を表示しているが、その光凝視警告情報３９を表示する警告シール３９ａの一部が非透光性であり、その非透光性部分に光凝視警告情報３９が表示されているため、図１７に示すように、ＬＥＤ６８等が点灯しても光凝視警告情報３９が強く発光することはない。従って、遊技者が光凝視警告情報３９を凝視したとしても強い光が目に入るようなことはなく、光凝視警告情報を遊技者に安全に伝えることが可能である。なお、ベースフィルム６９の一部に特定色を印刷することにより遮光層を形成してもよい。
【００５０】
図１８及び図１９は本発明の第６の実施形態を例示し、第３の実施形態を一部変更して、光凝視警告情報３９を、遊技盤５の前側の遊技部品に表示した例を示している。なお、光凝視警告情報３９の配置位置以外の構成は第３の実施形態と略同様である。
【００５１】
本実施形態のパチンコ機では、図１８，図１９に示すように、光凝視警告情報３９が表示された警告シール（貼付シート）３９ａを第３レール部材４３に貼付している。第３レール部材（透光規制部）４３は黒色その他の非透光性の合成樹脂製で、図１９に示すように、ベース板２１と略平行な前壁４３ａと、この前壁４３ａの遊技領域５ａ側の縁部から後向きに延設された内側壁４３ｂと、前壁４３ａの遊技領域５ａとは反対側の縁部から後向きに延設された外側壁４３ｃとで後向きに開放する断面略コの字型に形成されており、その後部側をベース板２１′により後側から略塞ぐようにベース板２１′の前面側に着脱自在に固定されている。警告シール３９ａは、第３レール部材４３における前壁４３ａの前面側に貼付されている。
【００５２】
このように、透明なベース板２１′の前側に設けた非透光性の遊技部品に光凝視警告情報３９を表示した場合、図１９に示すように、例えばベース板２１′の後側に配置された発光演出手段６６のＬＥＤ６８等からの光が光凝視警告情報３９に直接届くことはない。従って、遊技者がこの光凝視警告情報３９を凝視したとしても強い光が目に入るようなことはなく、光凝視警告情報を遊技者に安全に伝えることが可能である。
【００５３】
もちろん、光凝視警告情報３９を表示する非透光性の遊技部品は第３レール部材４３に限られるものではなく、例えば遊技領域５ａ内に配置される普通入賞ユニット２６等でもよい。また、光凝視警告情報３９を表示する遊技部品の全体が非透光性である必要はなく、少なくとも光凝視警告情報３９の表示領域、好ましくはその光凝視警告情報３９の表示領域とその周囲の一定領域とが非透光性であればよい。
【００５４】
図２０〜図２４は本発明の第７の実施形態を例示し、本発明をスロットマシンに採用した例を示している。図２０において、遊技機本体８１は、筐体８２と、この筐体８２の前側に配置された正面視略矩形状の前扉８３とを備えている。筐体８２は前側が開放する箱形に形成されており、その前側を開閉自在に閉鎖するように前扉８３が装着されている。
【００５５】
筐体８２内には、左右方向に複数個の図柄表示リール８５ａ〜８５ｃを有する表示リールユニット８６が上下方向の略中央に配置され、また払い出し用のメダルを貯留すると共に払い出し要求に従って払い出すメダル払い出し装置（図示省略）が下部側に配置されている。
【００５６】
前扉８３は、骨格体を構成する扉本体８７を備え、その扉本体８７が左右一端側、例えば左側のヒンジ（図示省略）を介して筐体８２に開閉自在に装着されている。前扉８３の前側には、上部側の上部前面パネル８８と下部側の下部前面パネル８９とが例えば着脱可能に装着されており、更に下部前面パネル８９の下側には、メダル受け皿９０、メダル払い出し装置からメダル受け皿９０にメダルを払い出すためのメダル排出口９０ａ等が設けられている。
【００５７】
上部前面パネル８８には、上部表示窓９１ａと中央表示窓９１ｂとが上下に配置されている。上部表示窓９１ａは、扉本体８７の裏側に装着された液晶表示ユニットその他の画像表示手段９２に対応する矩形状に形成されており、遊技者はこの上部表示窓９１ａを介して画像表示手段９２の表示画面９２ａを前側から視認可能となっている。また、中央表示窓９１ｂは、筐体８２側の図柄表示リール８５ａ〜８５ｃに対応して、例えば上部表示窓９１ａよりも大型の矩形状に形成されており、遊技者はこの中央表示窓９１ｂを介して図柄表示リール８５ａ〜８５ｃを前側から視認可能となっている。
【００５８】
また上部前面パネル８８には、各表示窓９１ａ，９１ｂの左右両側等に透光性を有する発光レンズ部（発光領域）９３が設けられると共に、その発光レンズ部９３の後側に対応して多数のＬＥＤ９４が配置されており、ＬＥＤ９４が所定パターンに従って点灯或いは点滅することにより発光レンズ部９３が発光するようになっている。
【００５９】
下部前面パネル８９は、上操作パネル部９５、前操作パネル部９６、装飾パネル９７等を備えている。上操作パネル部９５は、例えば前下がりに傾斜し且つ左右方向に長い横長状で、その左右方向の一端側に１ベットボタン９８、マックスベットボタン９９及びキャンセルボタン１００等の操作手段が設けられ、他端側に遊技媒体としてのメダルを投入可能なメダル投入口手段１０１が設けられている。１ベットボタン９８、マックスベットボタン９９は、メダル投入口手段１０１へのメダル投入に代えてクレジットからメダルをベットするためのものである。
【００６０】
前操作パネル部９６は、略前向きの横長状で、図柄表示リール８５ａ〜８５ｃの回転を開始させるためのスタートレバー１０２、回転中の図柄表示リール８５ａ〜８５ｃを夫々個別に停止させるためのストップボタン１０３ａ〜１０３ｃ、メダル投入口手段１０１内に詰まったメダルを返却させるための返却ボタン１０４等の操作手段が設けられている。
【００６１】
下部前面パネル８９は、上部前面パネル８８側の中央表示窓９１ｂ等よりも前側に張り出しており、図２１，図２２等に示すように、左右方向中央が前側へと緩やかな円弧状に張り出す張り出し部１０５と、その張り出し部１０５の左右両側から後側に湾曲する外湾曲部１０６と、張り出し部１０５の上端から中央表示窓９１ｂの下側へと後上がりに傾斜する上傾斜部１０７と、張り出し部１０５の下端から下側へと後下がりに傾斜する下傾斜部１０８（図２４）とを備え、扉本体８７の前側に着脱可能に固定されている。
【００６２】
上傾斜部１０７上には上操作パネル部９５が設けられ、また張り出し部１０５の前側には、上部側に前操作パネル部９６が、その下側に装飾パネル９７が設けられている。なお、張り出し部１０５には、装飾パネル９７を装着するための装飾パネル装着部１０９が後向き凹入状に形成され、更にその装飾パネル装着部１０９の背壁１０９ａには開口部１０９ｂが形成されており、その開口部１０９ｂに対応して扉本体８７の前側にＬＥＤ１１０を備えたバックライト手段１１１が配置されている。
【００６３】
上操作パネル部９５には、図２２等に示すように、上傾斜部（ベース体）１０７の上面の略全体を覆うように配置される薄板状の装飾シート１１２と、その装飾シート１１２の上面の略全体を覆うように配置される薄板状の保護カバー（カバー体）１１３とが装着されている。装飾シート１１２は、例えばポリカーボネート樹脂その他の透明シート材に、任意の絵柄の他、ベットボタン９８，９９等の名称、入賞役の種類等の各種情報が印刷されている。更に、その装飾シート１１２の表面側（保護カバー１１３に接する面）の所定位置には、光凝視警告情報３９が表示された例えば透光性の警告シール３９ａが貼付されている。光凝視警告情報３９は、遊技者に対して光の凝視を警告するためのもので、例えば「長時間同じ光を凝視しないでください。」等の文字情報により構成されている。なお、光凝視警告情報３９が表示された警告シール３９ａを装飾シート１１２の表面側に貼付するのではなく、光凝視警告情報３９を任意の絵柄等と同様に装飾シート１１２に直接印刷してもよい。
【００６４】
保護カバー１１３は、光透過性を有するアクリル樹脂その他の合成樹脂により形成されており、遊技者はこの保護カバー１１３を介して装飾シート１１２上の絵柄や光凝視警告情報３９等を視認可能となっている。なお、下部前面パネル８９は、上傾斜部１０７を含めて例えばその全体が非透光性の合成樹脂により形成されている。即ち、装飾シート１１２上の光凝視警告情報３９は、非透光性の上傾斜部（透光規制部）１０７の前側（外側）に配置されているため、ＬＥＤ等の発光手段によって光凝視警告情報３９が後側から照らされるようなことはない。
【００６５】
上傾斜部１０７、装飾シート１１２及び保護カバー１１３には、１ベットボタン９８、マックスベットボタン９９、キャンセルボタン１００、メダル投入口手段１０１に対応して取り付け孔（又は切り欠き部）１１４〜１１７が形成されている。そして、１ベットボタン９８、マックスベットボタン９９、キャンセルボタン１００及びメダル投入口手段１０１は、保護カバー１１３の外側から各取り付け孔１１４〜１１７に挿入され、上傾斜部１０７の裏側で例えば上傾斜部１０７に対して着脱自在に固定されており、それによって装飾シート１１２及び保護カバー１１３についても上傾斜部１０７に固定されている。
【００６６】
下部前面パネル８９の装飾パネル９７は、例えば正面視横長矩形状で、図２３，図２４に示すように、薄板状の装飾シート１２１と、その装飾シート１２１を前後両面側から着脱自在に挟持する前保護カバー１２２及び裏押え板１２３とを備え、その下部側が一又は複数の係合突起１２４を介して下部前面パネル８９の装飾パネル装着部１０９の下縁側に、上部側が一又は複数の係合爪１２５を介して例えば扉本体８７に夫々着脱自在に係止されている。
【００６７】
装飾シート１２１は、例えばポリカーボネート樹脂その他の透明シート材に、任意の絵柄や機種名等が印刷されている。前保護カバー１２２は装飾シート１２１を前側から保護するもので、透光性を有する例えば無色透明の合成樹脂により形成されており、張り出し部１０５の湾曲形状に対応して緩やかな平面視円弧状に湾曲する矩形板状の保護部１２２ａと、この保護部１２２ａの外縁から後側に突出する外枠部１２２ｂとを一体に備えている。
【００６８】
裏押え板１２３は前保護カバー１２２に対して装飾シート１２１を裏側から押えるもので、透光性を有する例えば無色透明の合成樹脂により形成されており、前保護カバー１２２の保護部１２２ａの湾曲形状に対応して緩やかな平面視円弧状に湾曲し且つ前保護カバー１２２の外枠部１２２ｂ内に裏側から嵌合可能な矩形板状の押え部１２３ａと、この押え部１２３ａの外縁から後側に突出する内枠部１２３ｂとを一体に備え、内枠部１２３ｂの後端外周に、外枠部１２２ｂの後端が当接する突条部１２６が形成されている。
【００６９】
前保護カバー１２２と裏押え板１２３とは、前保護カバー１２２の裏側に裏押え板１２３が嵌合した状態で、係合手段１２７により結合されている。係合手段１２７は、例えば装飾パネル９７の上下の左右両側に夫々設けられており、前保護カバー１２２の外枠部１２２ｂに形成された左右の切り込み部１２７ａ間で保護部１２２ａから後側に突出する弾性片１２７ｂと、この弾性片１２７ｂに形成された孔等の被係合部１２７ｃと、裏押え板１２３の内枠部１２３ｂの外側に突出して形成された係合部１２７ｄとを有し、前保護カバー１２２に裏押え板１２３を嵌合したときに係合部１２７ｄが被係合部１２７ｃに係脱自在に係合するようになっている。弾性片１２７ｂは突条部１２６の後端と略一致する長さであり、突条部１２６は弾性片１２７ｂに対応する部分に切欠き部１２７ｅが設けられている。
【００７０】
係合突起１２４は、例えば下辺側の左右に一対設けられ、前保護カバー１２２と裏押え板１２３との少なくとも一方（ここでは両方）に一体に形成されている（図２４（ｂ））。係合爪１２５は上辺側の左右に一対設けられ、前保護カバー１２２の外枠部１２２ｂから後方に略真っ直ぐに突出して一体に形成されている。この係合爪１２５は、係脱方向（ここでは上下方向）に変形可能な弾性を有し、後端側の上面に傾斜案内面１２５ａを介して係合部１２５ｂが設けられている。裏押え板１２３の内枠部１２３ｂの上辺側には、係合爪１２５と干渉しないように係合爪１２５に対応して凹部１２３ｄが形成されている。
【００７１】
下部前面パネル８９の装飾パネル装着部１０９は、装飾パネル９７の外周に沿う嵌合枠１０９ｃと、装飾パネル９７の背面に沿う背壁１０９ａとを備えており、その背壁１０９ａに開口部１０９ｂが形成されている。そして、嵌合枠１０９ｃの下部側には、係合突起１２４が係脱自在に係合する係合孔等の左右一対の係合凹部１２８が設けられ、また背壁１０９ａの上部側には、係合爪１２５と干渉しないように係合爪１２５に対応して凹部（又は開口部）１２９（図２４（ｂ））が形成されている。
【００７２】
扉本体８７には、図２１，図２４等に示すように、装飾パネル装着部１０９の開口部１０９ｂの後側に対応して後方に凹入する収容凹部１３１が形成され、その収容凹部１３１にバックライト手段１１１が収容されている。バックライト手段１１１は装飾パネル９７を後側から照明するためのもので、例えば装飾パネル９７の後側全体に対応するように多数のＬＥＤ１１０を配置した発光基板等により構成されている。もちろん、バックライト手段１１１の構成は任意であり、いわゆるエッジ型のＬＥＤバックライトを用いてもよいし、蛍光灯など、ＬＥＤ以外の発光体を用いてもよい。
【００７３】
扉本体８７には、図２４等に示すように、バックライト手段１１１の上側近傍、例えば収容凹部１３１の上側の傾斜部１３１ａに各係合爪１２５に対応する係合孔１３１ｂが形成され、この係合孔１３１ｂの前縁側部分によって、係合爪１２５が係脱自在に係合する係合部１３３が構成されている。
【００７４】
従って、装飾パネル９７を装着する際には、下部側の係合突起１２４を係合凹部１２８に係合させた状態で、係合突起１２４側を支点に後方へと回動させて装飾パネル装着部１０９内に嵌め込み、係合爪１２５を凹部１２９を経て扉本体８７側の係合部１３３に係合させればよい。また、装飾パネル装着部１０９を取り外す場合には、前扉８３を開放し、その裏側から係合爪１２５を下方に押圧することによって係合部１３３への係合を解除すればよい。
【００７５】
以上説明したように、本実施形態のスロットマシンでは、光凝視警告情報３９を、非透光性の上傾斜部１０７の外面側に配置された装飾シート１１２に表示しているため、遊技者がこの光凝視警告情報３９を凝視したとしても強い光が目に入るようなことはなく、光凝視警告情報を遊技者に安全に伝えることが可能である。
【００７６】
図２５及び図２６は本発明の第８の実施形態を例示し、第７の実施形態を一部変更して、光凝視警告情報３９を装飾パネル９７の装飾シート１２１に配置した例を示している。なお、光凝視警告情報３９を装飾シート１１２ではなく装飾シート１２１に配置した点以外の構成は第７の実施形態と同様である。
【００７７】
本実施形態の装飾シート１２１は、図２５，図２６に示すように、ポリカーボネート樹脂その他の透明シート材１４１の一面側（ここでは前面側）に装飾層１４２が、他面側（ここでは裏面側）に遮光層１４３が夫々印刷により形成されており、例えばその装飾シート１２１の前面側に、光凝視警告情報３９を表示した警告シール３９ａが貼付されている。
【００７８】
装飾層１４２は、例えば任意の絵柄や機種名等を表示するもので、例えば機種名等を表示する第１表示領域１４２ａと、その他の背景絵柄等を表示する第２表示領域１４２ｂとで構成されている。遮光層（透光規制部）１４３は、バックライト手段１１１から発せられた光の透過を遮断（又は抑制）するもので、例えば装飾層１４２側の第２表示領域１４２ｂに対応する第１遮光部１４３ａと、光凝視警告情報３９に対応する第２遮光部１４３ｂとで構成されている。即ち、警告シール３９ａは、第２遮光部１４３ｂに対応してその前側に貼付されている。
【００７９】
なお本実施形態では、警告シール３９ａが第１表示領域１４２ａと第２表示領域１４２ｂとに跨がって貼付されているため、図２５（ｂ）に示すように、遮光層１４３の第２遮光部１４３ｂは第１遮光部１４３ａから第１表示領域１４２ａ側に突出するように配置されている。
【００８０】
もちろん、警告シール３９ａは第１表示領域１４２ａと第２表示領域１４２ｂとの何れか一方に対応するように貼付してもよい。警告シール３９ａを第１表示領域１４２ａに対応するように貼付する場合には、第１遮光部１４３ａと第２遮光部１４３ｂとは互いに分離した状態となり、警告シール３９ａを第２表示領域１４２ｂに対応するように貼付する場合には、第２遮光部１４３ｂは第１遮光部１４３ａに含まれた状態となる。
【００８１】
装飾パネル９７の後側のバックライト手段１１１が点灯したとき、図２６に示すように、装飾シート１２１のうち、遮光層１４３が設けられていない第１表示領域１４２ａについては強く発光するが、遮光層１４３が設けられている第２表示領域１４２ｂ及び光凝視警告情報３９については遮光（或いは減光）されて強く発光することはない。従って、遊技者がこの光凝視警告情報３９を凝視したとしても強い光が目に入るようなことはなく、光凝視警告情報を遊技者に安全に伝えることが可能である。
【００８２】
なお、装飾層１４２と遮光層１４３とを透明シート材１４１の同じ面（例えば裏面）に重ねて設けてもよい。また、光凝視警告情報３９が表示された警告シール３９ａを装飾シート１２１に貼付するのではなく、装飾層１４２の一部として光凝視警告情報３９を表示してもよい。
【００８３】
以上、本発明の実施形態について詳述したが、本発明はこれらの実施形態に限定されるものではなく、本発明の趣旨を逸脱しない範囲で種々の変更が可能である。例えば、透光規制部は、ベニヤ板よりなるベース板２１のように光を全く透過しない非透光性に限られるものではなく、長時間凝視しても目に悪影響が出ない程度に若干の光を透過可能であってもよい（光を透過し難い難透光性）。
【００８４】
透光性を有する部分、又はその前側に光凝視警告情報３９を表示し、その光凝視警告情報３９の後側に対応する位置に、多数の発光体のうちの特定発光体を配置した場合であっても、所定の演出時等の所定期間についてはその特定発光体を発光させないように構成してもよい。また、特定発光体についてはその輝度を一定以下に制限してもよい。
【００８５】
実施形態のように光凝視警告情報３９を遊技盤５等に表示しただけでは遊技に気を取られた遊技者がその表示に気付かない可能性がある。そこで、大当たり終了インターバルのタイミングで画像表示手段４７，９２等に例えば光凝視警告情報３９と同様の警告情報を表示してもよい。また、このような表示を行うのは通常状態から高確率状態に切り換わる場合の特別利益状態における大当たり終了インターバルであることが望ましい。これは、高確率状態中は通常状態中に比べて演出頻度が高く、演出ランプによる照射が頻繁に行われるからである。また、画像表示手段４７，９２等への警告情報は、大当たり終了インターバルに限らず、大当たり開始インターバルやデモ画面中に表示するようにしてもよいし、例えば強い光や激しい点滅が行われるなど、遊技者の目に対する負担の大きい特定の演出が行われる前に表示するようにしてもよい。
【００８６】
輝度調整が可能な遊技機の場合には、輝度調整時に画像表示手段４７，９２等により例えば光凝視警告情報３９と同様の警告情報を表示してもよい。例えばレベル１〜５の５段階の輝度調整が可能な場合においては、最も高輝度な設定であるレベル５に調整された際に画像表示手段４７，９２等に警告情報を表示してもよい。
【００８７】
また、例えば強い光や激しい点滅が行われるなど、遊技者の目に対する負担の大きい特定の演出が行われる旨の報知や、そのような特定の演出が行われる箇所（発光位置）の報知を例えば画像表示手段４７，９２等により行うようにしてもよい。
【００８８】
光凝視警告情報３９は、操作ボタン１７又はその近傍に表示してもよい。これは、普段は画像表示手段４７等を見ている遊技者も操作ボタン１７の押下指示が出された際には操作ボタン１７に目をやる可能性が高く、また操作ボタン１７の押下に伴って実施されるランプ演出も多々あるからである。また、操作ボタン１７の押下指示を画像表示手段４７により行っているタイミングで、光凝視警告情報３９と同様の警告情報を画像表示手段４７に表示してもよい。
【００８９】
光凝視警告情報３９は、その周辺の部品等とは異なる色、特に黄色など遊技者の目を引く色で表記されていることが望ましい。そうすることで、機種によって盤面デザイン等が多様に変化しても、警告表示の視認性が低下することなく、好適に注意喚起を行うことができる。
【００９０】
光凝視警告情報３９は、「「長時間同じ光を凝視しないでください。」等の文字情報に加えて、或いは文字情報に代えて、光の凝視を警告する内容のイラスト等を用いてもよい。また、光に関する警告情報は光の凝視を警告する内容の光凝視警告情報３９に限られるものではなく、例えば強い光を放つ演出に注意を促す内容等、光に関する警告情報であればよい。
【００９１】
また、実施形態では本発明をパチンコ機及びスロットマシンに適用した例を示したが、アレンジボール機等の各種遊技機において同様に実施可能であることは言うまでもない。
【符号の説明】
【００９２】
３９  光凝視警告情報
８１  遊技機本体
９５  上操作パネル部（操作パネル）
９４  ＬＥＤ（発光体）
９６  前操作パネル部（操作パネル）
９７  装飾パネル
９８  １ベットボタン（操作手段）
９９  マックスベットボタン（操作手段）
１０２  スタートレバー（操作手段）
１０７  ベース体（透光規制部）
１１０  ＬＥＤ（発光体）
１１２  装飾シート
１１３  保護カバー（カバー体）
１２１  装飾シート
１４３  遮光層（透光規制部）
【要約】
【課題】光に関する警告情報を遊技者に対して安全に伝えることが可能な遊技機を提供する。
【解決手段】遊技機本体の前側の発光領域に対応する発光体を備えた遊技機で、遊技機本体の前側に着脱可能に装着された装飾シート１１２に、「長時間同じ光を凝視しないでください」等、光の凝視を警告する内容の光凝視警告情報３９を表示し、光凝視警告情報３９に対応して、発光体からの光を透過しない又は透過し難い透光規制部、例えばベース体１０７を設ける。また、カバー体１１３とベース体１０７とで装飾シート１１２を前後両面側から挟持し、ベース体１０７の少なくとも一部を透光規制部としてもよい。
【選択図】図２２【図１】
0006002294.tif 000002
【図２】
0006002294.tif 000003
【図３】
0006002294.tif 000004
【図４】
0006002294.tif 000005
【図５】
0006002294.tif 000006
【図６】
0006002294.tif 000007
【図７】
0006002294.tif 000008
【図８】
0006002294.tif 000009
【図９】
0006002294.tif 000010
【図１０】
0006002294.tif 000011
【図１１】
0006002294.tif 000012
【図１２】
0006002294.tif 000013
【図１３】
0006002294.tif 000014
【図１４】
0006002294.tif 000015
【図１５】
0006002294.tif 000016
【図１６】
0006002294.tif 000017
【図１７】
0006002294.tif 000018
【図１８】
0006002294.tif 000019
【図１９】
0006002294.tif 000020
【図２０】
0006002294.tif 000021
【図２１】
0006002294.tif 000022
【図２２】
0006002294.tif 000023
【図２３】
0006002294.tif 000024
【図２４】
0006002294.tif 000025
【図２６】
0006002294.tif 000026
【図２５】
0006002294.tif 000027